(57)【要約】【課題】内部への異物の侵入を阻止して、接触不良あるいは動作不良の発生を防止できるスライドスイッチを備えた電磁継電器を提供する。【解決手段】電磁継電器（１）が、カバー（７０）と、カバー（７０）内に収納されたスライドレバー（８０）および弾性テストボタン（９０）と、を有するスライドスイッチ（２）を備えている。カバー（７０）のケース（４０）の一面に対向する面には、スライドレバー（８０）をスライド操作するための操作孔（７１）が形成されている。また、スライドレバー（８０）が、操作孔（７１）を塞ぐように配置されると共に、弾性テストボタン（９０）が、スライドレバー（８０）をカバー（７０）の天井面（７０ｂ）に圧接するように付勢している。【選択図】図３
2015125985.tif 000002
【特許請求の範囲】
【請求項１】
ケースと、このケース内に収納された接点機構とを備える電磁継電器であって、
前記ケースの一面に取り付けられたカバーと、
前記カバー内に収納され、かつ、前記カバーに設けられた操作孔を介してスライド操作可能なスライドレバーと、
前記カバー内に収納され、前記スライドレバーのスライド操作に従って前記ケースの一面に対して交差する方向に動作する弾性テストボタンと、
を有し、
前記スライドレバーのスライド操作に従った前記弾性テストボタンの動作に連動して前記接点機構の接点を開閉させるスライドスイッチを備え、
前記スライドレバーが、前記操作孔を塞ぐ平面形状を有していると共に、前記弾性テストボタンが、前記スライドレバーを前記カバーの天井面に圧接するように付勢していることを特徴とする電磁継電器。
【請求項２】
前記弾性テストボタンが、前記接点を開閉するための内部駆動部品を操作するための突出部と、前記スライドレバーを付勢するための弾性腕部とを有していることを特徴とする、請求項１に記載の電磁継電器。
【請求項３】
前記スライドスイッチが、
前記スライドレバーからスライド操作方向に沿って延在している弾性ロック爪と、
前記弾性ロック爪が係合するように前記カバーの内面に形成され、前記スライドレバーを動作位置および復帰位置で保持する一対の溝部と、
を有するロック機構を備え、
前記スライドレバーを、前記動作位置と前記復帰位置とに保持できることを特徴とする、請求項１または２に記載の電磁継電器。
【請求項４】
前記カバーの前記操作孔の少なくとも片側縁部に、前記スライドレバーの誤操作を防止する誤操作防止壁が突設されていることを特徴とする、請求項１から３のいずれか１項に記載の電磁継電器。
【請求項５】
前記スライドレバーが、前記ケースに向かって突設されたスライド支持部を有していることを特徴とする、請求項１から４のいずれか１項に記載の電磁継電器。
【発明の詳細な説明】
【技術分野】
【０００１】
本発明は、例えば動作確認に用いられるスライドスイッチを備える電磁継電器に関する。
【背景技術】
【０００２】
従来の動作確認用のスイッチを備える電磁継電器としては、特許文献１（特開平１１−９６８７５号公報）に記載されたものがある。この電磁継電器は、ケーシングの上面に配置された旋回レバーと、ケーシングの内部に配置され、旋回レバーと一体成形されたレバーアームとを備えている。そして、ケーシングの上面に対して垂直方向に旋回レバーを回動操作することで、レバーアームを介して接点の開閉を行っている。
【先行技術文献】
【特許文献】
【０００３】
【特許文献１】特開平１１−９６８７５号公報
【発明の概要】
【発明が解決しようとする課題】
【０００４】
しかしながら、前記電磁継電器では、ケーシングに旋回レバーを動作確認するために設けたスリットから異物が前記ケーシングの内部に侵入し、接触不良あるいは動作不良を起こしてしまう場合があり、動作確認が行えないという問題があった。
【０００５】
本発明は、前述の問題に鑑み、ケーシング内部への異物の侵入を阻止して、接触不良あるいは動作不良の発生を防止できるスライドスイッチを備えた電磁継電器を提供することを課題とする。
【課題を解決するための手段】
【０００６】
本発明に係る電磁継電器は、前記課題を解決すべく、ケースと、このケース内に収納された接点機構とを備える電磁継電器であって、前記ケースの一面に取り付けられたカバーと、前記カバー内に収納され、かつ、前記カバーに設けられた操作孔を介してスライド操作可能なスライドレバーと、前記カバー内に収納され、前記スライドレバーのスライド操作に従って前記ケースの一面に対して交差する方向に動作する弾性テストボタンと、を有し、前記スライドレバーのスライド操作に従った前記弾性テストボタンの動作に連動して前記接点機構の接点を開閉させるスライドスイッチを備え、前記スライドレバーが、前記操作孔を塞ぐ平面形状を有していると共に、前記弾性テストボタンが、前記スライドレバーを前記カバーの天井面に圧接するように付勢していることを特徴としている。
【発明の効果】
【０００７】
本発明によれば、スライドレバーが操作孔を塞ぐ平面形状を有していると共に、弾性テストボタンがスライドレバーをカバーの天井面に圧接するように付勢している。このため、スライドレバーとカバーとの間の隙間を確実に塞ぐことができ、カバー内部への異物の侵入を防止できる。
【０００８】
本発明の実施形態としては、前記弾性テストボタンが、前記接点を開閉するための内部駆動部品を操作するための突出部と、前記スライドレバーを付勢するための弾性腕部とを有する構成としてもよい。
【０００９】
本実施形態によれば、弾性テストボタンが弾性腕部を有しているので、スライドレバーを付勢するための弾性部材を別途設ける必要がなく、製造コストを低減できる。
【００１０】
本発明の実施形態としては、前記スライドスイッチが、前記スライドレバーからスライド操作方向に沿って延在している弾性ロック爪と、前記弾性ロック爪が係合するように前記カバーの内面に形成され、前記スライドレバーを動作位置および復帰位置で保持する一対の溝部と、を有するロック機構を備え、前記スライドレバーを、前記動作位置と前記復帰位置とに保持できる構成としてもよい。
【００１１】
本実施形態によれば、弾性ロック爪と一対の溝部とを有するロック機構を備えているので、弾性テストボタンのスライドレバーに対する付勢力を確保しつつ、スライドレバーを動作位置および復帰位置で保持できる。
【００１２】
本発明の実施形態としては、前記カバーの前記操作孔の少なくとも片側縁部に、前記スライドレバーの誤操作を防止する誤操作防止壁が突設されている構成としてもよい。
【００１３】
本実施形態によれば、誤操作防止壁によって、意図しないスライドレバーへの接触を防いで、スライドスイッチの誤操作を防止できる。
【００１４】
本発明の実施形態としては、前記スライドレバーが、前記ケースに向かって突設されたスライド支持部を有する構成としてもよい。
【００１５】
本実施形態によれば、スライド支持部によって、操作孔をスライドレバーで確実に塞ぐことができる。よって、カバー内部へのゴミ等の異物の侵入を確実に防止できる。
【図面の簡単な説明】
【００１６】
【図１】本発明の一実施形態の電磁継電器を示す斜視図である。
【図２】図１の電磁継電器のカバーを外した状態を示す斜視図である。
【図３】図１の電磁継電器のスライドレバーが復帰位置に位置している状態を示すIII−III縦断面図（図Ａ）およびIX−IX横断面図（図Ｂ）である。
【図４】図３の電磁継電器のスライドレバーが動作位置に位置している状態を示す縦断面図（図Ａ）およびＸ−Ｘ横断面図（図Ｂ）である。
【図５】図１の電磁継電器の分解斜視図である。
【図６】図５とは異なる角度からみた分解斜視図である。
【図７】図１の電磁継電器のカバーを示す斜視図である。
【図８】図７のカバーの内部を示す平面図である。
【図９】図１の電磁継電器の弾性テストボタンを示す斜視図、正面図および側面図である。
【図１０】図１の電磁継電器の弾性テストボタンの他の例を示す斜視図，正面図および側面図である。
【図１１】図１の電磁継電器の弾性テストボタンの別の例を示す斜視図，正面図および側面図である。
【図１２】図１の電磁継電器の弾性テストボタンの異なる例を示す斜視図，正面図および側面図である。
【発明を実施するための形態】
【００１７】
以下、本発明のスライドスイッチを備えた電磁継電器を、図示の一実施形態に従って詳細に説明する。
【００１８】
本実施形態の電磁継電器１は、図１乃至図６に示すように、ベースプレート１０と、ベースプレート１０上に取り付けられたコイルブロック２０，接点機構３０，カード５０およびケース４０とからなると共に、ケース４０上にスライドスイッチ２が取り付けられている。なお、コイルブロック２０，接点機構３０およびカード５０は、ケース４０内に収納されている。
【００１９】
ベースプレート１０は、図５，図６に示すように、平面矩形状で、絶縁性を有する樹脂材料からなっている。また、前記ベースプレート１０は、図３，図４に示すように、絶縁壁１３で仕切られたコイルブロック２０を取り付けるための第１領域１１と、接点機構３０を取り付けるための第２領域１２とを有している。前記絶縁壁１３の両側面には、図５，図６に示すように、ケース取付用突起１４が形成されている（図５，図６には一方のケース取付用突起１４のみを示している）。また、ケース取付用突起１４の上側には、後述するカード５０を取り付けるためのカード取付孔１８が形成されている。
【００２０】
ベースプレート１０の第１領域１１の底面には、コイルブロック２０の一対のコイル端子２１，２１を組み付けるための端子孔１５ａ，１５ａが形成されている。
【００２１】
また、ベースプレート１０の第２領域１２の底面には、後述する接点機構３０の可動接点端子３１および第１，第２固定接点端子３２，３３を組み付けるための端子孔１７ａ，１７ｂ，１７ｃと、接点機構３０の第１，第２固定接点端子３２，３３を固定するための絶縁部１６，１６とが形成されている。そして、絶縁部１６，１６の間には、可動接点端子３１が組み付けられている。
【００２２】
コイルブロック２０は、図３，図４に示すように、一対のコイル端子２１，２１と、貫通孔２４を有するスプール２２と、このスプール２２に巻回されたコイル２３と、貫通孔２４に挿入された鉄心２５と、鉄心２５の下端にカシメ固定された略Ｌ字形状のヨーク２６とから構成されている。コイル端子２１，２１は、ベースプレート１０の底面から突出するように配置され、スプール２２の下端に設けられたフランジ部２２ａに固定されている。ヨーク２６は、鉄心２５の下端にカシメ固定されている水平部２６ａと、コイル２３に沿って上方に延びている垂直面部２６ｂとからなっている。この垂直面部２６ｂの側面の上端には、ヒンジバネ２７がカシメ固定されている。
【００２３】
接点機構３０は、図３，図４に示すように、可動接触片３１ａと、可動接触片３１ａの両側にそれぞれ配置されている第１，第２固定接触片３２ａ，３３ａとで構成されている。
【００２４】
可動接触片３１ａは、上端に形成された可動接点３１ｂと、下端に形成され、クランク状に屈曲された可動接点端子３１とを有している。前記可動接点３１ｂは、中央に可動接触片３１ａが位置するように、可動接触片３１ａと一体化されている。第１固定接触片３２ａは、上端にカシメ固定された第１固定接点３２ｂと、下端に形成された第１固定接点端子３２とを有している。また、第２固定接触片３３ａは、開口部３３ｃが形成された板状で、上端にカシメ固定された第２固定接点３３ｂと、下端に形成され、クランク状に屈曲された第２固定接点端子３３とを有している。可動接点端子３１および第１，第２固定接点端子３２，３３は、ベースプレート１０の底面から突出するように配置されている。
【００２５】
コイルブロック２０と接点機構３０との間には、図３，図４に示すように、内部駆動部品の一例としてのカード５０および可動鉄片６０が配置されている。
【００２６】
カード５０は、カード本体５１と、カード本体５１の一面の中央部に形成された押込突出部５２とを有しており、押込突出部５２の先端が、第２固定接触片３３ａの開口部３３ｃを貫通するように配置されている。押込突出部５２が形成されているカード本体５１の背面には、カード５０と可動鉄片６０とを連結するための押圧受け部５３が形成されている。
【００２７】
また、カード本体５１には、図５，図６に示すように、一方の端部に一対の弾性片５４，５４が形成されている。一対の弾性片５４，５４は、一定の間隔を空けて配置されており、その自由端の両側面に、円柱形状のカード取付用突起５５，５５を有している。このカード取付用突起５５，５５をベースプレート１０のカード取付孔１８に嵌め込むことによって、カード５０がベースプレート１０に回動自在に取り付けられている。
【００２８】
可動鉄片６０は、略Ｌ字形状で、スライドスイッチ２の弾性テストボタン９０により押圧される押圧部６１と、押圧部６１よりも巾狭の連結腕部６２とからなっている。前記可動鉄片６０は、ヨーク２６の垂直面部２６ｂの上端を中心として回動自在に配置されており、前記可動鉄片６０の連結腕部６２とカード５０の押圧受け部５３とが、接触するように配置されている。また、前記可動鉄片６０は、ヨーク２６の垂直面部２６ｂに取り付けられているヒンジバネ２７によって、回動中心がずれないように支持されている。
【００２９】
ケース４０は、図５，図６に示すように、一面が開口している箱形状で、透光性を有する樹脂材料からなっている。ケース４０の開口縁部の中央には、ケース取付孔４１が形成されている。このケース取付孔４１にベースプレート１０のケース取付用突起１４を嵌め込むことによって、ケース４０がベースプレート１０に取り付けられる。また、ケース４０のコイルブロック２０側の側端面には、爪部４２が形成されている。この爪部４２は、図示しないパネルに電磁継電器１を取り付けた後、取り外す際に指を引っかけるためのものである。
【００３０】
ケース４０の側端面の上端には、図２に示すように、スライドスイッチ２を取り付けるための取付溝４３，４３が形成されている。ケース４０の上面には、突部４４と、後述する弾性テストボタン９０を配置するための動作孔４５とが形成されている。突部４４は中空で、内部にカード５０の上端部が収納されている。動作孔４５は、可動鉄片６０の押圧部６１上に配置されている。また、動作孔４５の一方の外側縁部には、弾性テストボタン９０を支持するための支持壁４６が形成されている。
【００３１】
スライドスイッチ２は、図１，図２に示すように、ケース４０の上面に取り付けられたカバー７０と、カバー７０内に収納されたスライドレバー８０および弾性テストボタン９０とで構成されている。弾性テストボタン９０は、ケース４０の動作孔４５に挿入されている。そして、前記スライドレバー８０は、弾性テストボタン９０の上に、スライド操作可能に配置されている。
【００３２】
カバー７０は、図７に示すように、スライドレバー８０をスライド操作するための操作孔７１を有している。この操作孔７１の縁部には、スライドレバー８０の誤操作を防止する一組の誤操作防止壁７２が、スライドレバー８０のスライド操作方向Ｄに沿って突設されている。カバー７０の長手方向の両端面には、ケース４０の取付溝４３，４３に嵌め込んでカバー７０をケース４０に取り付けるための取付爪７３，７３が形成されている。また、カバー７０の内面である内側面７０ａには、図８に示すように、一対の溝部、すなわち、スライドレバー８０を復帰位置で保持するための第１溝部７４と、動作位置で保持するための第２溝部７５とが形成されている。この第１，第２溝部７４，７５と後述するスライドレバー８０の弾性ロック爪８２とで、ロック機構を構成している。
【００３３】
スライドレバー８０は、図２に示すように、本体部８１と、弾性ロック爪８２と、スライド支持部８４と、押圧用突起８５とが、一体形成されている。
【００３４】
本体部８１は、板形状で、カバー７０の操作孔７１よりも大きく、スライドレバー８０の位置に関わらず、操作孔７１を塞ぐ平面形状を有している。
【００３５】
弾性ロック爪８２は、平面Ｒ字形状を有し（図５参照）、本体部８１からスライドレバー８０のスライド操作方向Ｄに沿って延在している。弾性ロック爪８２を平面Ｒ字形状とすることで、弾性力を確保しつつ、本体部８１と弾性ロック爪８２との接合部分にかかる応力を分散してスライドレバー８０を長寿命化している。
【００３６】
操作用突起８３は、中央に溝を有する略正方体形状を有し、本体部８１の上面に配置されている。この操作用突起８３を設けることによって、スライドレバー８０をスライド操作し易くしている。なお、中央の溝はドライバーなどで操作する場合に備えて設けたものであり、溝がない構造としてもかまわない。
【００３７】
スライド支持部８４は、略四角柱形状を有し、本体部８１の下面略中央に突設されている。前記スライド支持部８４は、スライドレバー８０をカバー７０の天井面７０ｂに圧接した状態の本体部８１の下面からケース４０の上面までの距離に略等しい長さを有している。
【００３８】
押圧用突起８５は、側面台形状を有し、本体部８１の弾性ロック爪８２側の端部の下面に突設されている。押圧用突起８５の弾性ロック爪８２側の側面には、斜面が形成されており、スライドレバー８０をスライド移動させることで、弾性テストボタン９０を鉛直方向に押圧できるようになっている。
【００３９】
なお、スライドレバー８０の復帰位置は、図３に示すように、接点機構３０の可動接点３１ｂと第２固定接点３３ｂとが接触しているときのスライドレバー８０の位置である。そして、スライドレバー８０の動作位置は、図４に示すように、接点機構３０の可動接点３１ｂと第１固定接点３２ｂとが接触しているときのスライドレバー８０の位置である。
【００４０】
弾性テストボタン９０は、図９に示すように、断面略π字形状を有し、平面四角形状の平板部９１と、平板部９１の対向する角部に各々形成された弾性腕部９２，９２と、平板部９１に突設され、弾性腕部９２，９２の間に位置している突出部９３とで構成され、一体成形されている。
【００４１】
弾性腕部９２，９２の各々は、平板部９１の一辺の両角部から、この一辺に直交する辺に沿って、平板部９１に対して角度を有するように直線状に延在している。
【００４２】
突出部９３は、２つの弾性片９３ａ，９３ａを有している。弾性片９３ａ，９３ａの間には、隙間が形成されている。弾性片９３ａ，９３ａの外向面の先端部には、ケース４０の動作孔４５の内側縁部に引っかけて弾性テストボタン９０を抜け止めするための爪部９３ｂ，９３ｂが形成されている。また、弾性片９３ａ，９３ａの内向面には、押出用凸部９３ｃ，９３ｃが、互いに対向しない位置に形成されている。この押出用凸部は、金型から弾性テストボタン９０を押し出すために用いられる。
【００４３】
次に、電磁継電器１の組立方法について説明する。この電磁継電器１は、図３に示す復帰状態（スライドレバー８０が復帰位置にある状態）で組み立てられる。
【００４４】
まず、予めコイルブロック２０を組み立てておき、コイル端子２１，２１をスプール２２のフランジ部２２ａに圧入し、コイル２３の端部をコイル端子２１，２１にそれぞれ巻き付ける。
【００４５】
そして、ベースプレート１０に可動接触片３１ａの可動接点端子３１および第１，第２固定接触片３２ａ，３３ａの第１，第２固定接点端子３２，３３を圧入し、ベースプレート１０の底面からそれぞれ突出させる。このとき、図３に示すように、可動接点３１ｂと第２固定接点３３ｂとが接触し、可動接点３１ｂと第１固定接点３２ｂとが、接離可能に対向するようになっている。
【００４６】
次に、カード５０をベースプレート１０に取り付ける。このとき、カード５０の押込突出部５２の先端が、第２固定接触片３３ａの開口部３３ｃを貫通するように取り付ける。
【００４７】
続いて、ベースプレート１０にコイルブロック２０を取り付け、ベースプレート１０の底面からコイル端子２１，２１を突出させる。そして、可動鉄片６０をヨーク２６の垂直面部２６ｂの上端を中心として回動自在に配置する。このとき、可動鉄片６０は、連結腕部６２とカード５０の押圧受け部５３とが接触するように配置する。
【００４８】
この状態では、可動鉄片６０は、カード５０の押圧受け部５３に接触しているだけであり、カード５０を接点機構３０側に押圧していない。
【００４９】
ベースプレート１０へのコイルブロック２０および接点機構３０の組み付けが完了すると、ベースプレート１０にケース４０を取り付ける。そして、ケース４０の動作孔４５に弾性テストボタン９０を挿入すると共に、ケース４０上にスライドレバー８０を配置して、スライドレバー８０の弾性ロック爪８２が、カバー７０の第１溝部７４に位置するように、カバー７０を取り付ける。
【００５０】
この状態では、弾性テストボタン９０が、弾性腕部９２の弾性力によって、弾性ロック爪８２をカバー７０の天井面７０ｂに圧接するように付勢している。また、スライド支持部８４と弾性テストボタン９０とによって、スライドレバー８０をカバー７０の天井面７０ｂに対して常に略平行な状態を維持できるように支持されている。そのため、スライドレバー８０が復帰位置にあるとき、スライドレバー８０とカバー７０の操作孔７１との間の隙間を確実に塞ぐことができる。
【００５１】
また、スライド移動の際の無用な抵抗の発生を防ぐため、スライドレバー８０のスライド支持部８４とケース４０の上面との間に、僅かな隙間を形成している。これにより、スライドレバー８０のスライド操作を容易にしている。
【００５２】
続いて、スライドスイッチ２のスライドレバー８０を復帰位置から動作位置にスライド操作したときの電磁継電器１の動作について説明する。
【００５３】
操作孔７１を介して、スライドレバー８０を復帰位置から動作位置にスライド操作すると、図３，図４に示すように、弾性ロック爪８２が第１溝部７４から押し出され、第２溝部７５に向かってスライド移動する。すると、弾性テストボタン９０が、スライドレバー８０の押圧用突起８５によって押圧され、次第にケース４０内部に押し込まれる。
【００５４】
スライドレバー８０を復帰位置から動作位置にスライド操作している間も、スライドレバー８０は、弾性テストボタン９０の弾性腕部９２の弾性力によって付勢され、カバー７０の天井面７０ｂに圧接している。
【００５５】
また、押圧用突起８５によって弾性テストボタン９０が受けるスライド操作方向Ｄの力が、ケース４０の支持壁４６により支持されている。これにより、スライドレバー８０のスライド操作による弾性テストボタン９０の動作孔４５からの脱落を防止すると共に、弾性テストボタン９０が、ケース４０の上面に対して直交する方向に確実に移動できるようにしている。
【００５６】
スライドレバー８０を動作位置まで移動させると、スライドレバー８０によりケース４０内部に押し込まれた弾性テストボタン９０が、可動鉄片６０の押圧部６１をコイルブロック２０に向かって押圧する。これにより、可動鉄片６０の押圧部６１が鉄心２５の磁板部２５ａに圧接すると共に、連結腕部６２がカード５０を接点機構３０側に押し込む。その結果、カード５０の押込突出部５２が可動接触片３１ａを第１固定接触片３２ａに向かって押し込んで、可動接触片３１ａが弾性変形し、可動接点３１ｂと第１固定接点３２ｂとが接触して、図４に示す動作状態となる。
【００５７】
スライドレバー８０が動作位置まで移動すると、スライドレバー８０の弾性ロック爪８２が第２溝部７５に係合され、スライドレバー８０が動作位置で保持される。このように、スライドレバー８０の弾性ロック爪８２と第１，第２溝部７４，７５とで構成されているロック機構は、弾性テストボタン９０のスライドレバー８０に対する付勢力を確保しつつ、スライドレバー８０を動作位置および復帰位置で保持できる。
【００５８】
なお、スライドレバー８０を動作位置から復帰位置にスライド操作すると、押圧用突起８５の弾性テストボタン９０に対する圧力が解放され、弾性テストボタン９０が図３に示す復帰状態に復帰する。これにより、弾性テストボタン９０の可動鉄片６０に対する圧力が解放され、ヒンジバネ２７の弾性力によって可動鉄片６０が復帰状態に復帰する。そして、可動鉄片６０が復帰状態に復帰すると、可動鉄片６０のカード５０に対する圧力が解放されて、可動接点３１ｂが、可動接触片３１ａの弾性力によって、図４に示す動作状態から、復帰状態に復帰する。このとき、カード５０は、可動接触片３１ａの弾性力によって、可動接点３１ｂと共に復帰状態に復帰する。このように、前記電子継電器１では、スライドレバー８０のスライド操作に従った弾性テストボタン９０の動作に連動して、接点機構３０の接点が開閉するようになっている。
【００５９】
前記電磁継電器１によれば、スライドレバー８０が、カバー７０の操作孔７１を塞ぐように配置され、かつ、弾性テストボタン９０が、スライドレバー８０をカバー７０の天井面７０ｂに圧接するように付勢している。このため、スライドレバー８０とカバー７０との間の隙間を確実に塞ぐことができ、カバー７０内部への異物の侵入を防止できる。
【００６０】
前記電磁継電器１は、前述の接点機構３０に限らず、任意の接点機構を用いることができる。
【００６１】
また、前記電磁継電器１では、接点機構３０の接点を開閉するための内部駆動部品として、カード５０および可動鉄片６０を用いているが、これに限られない。スライドレバー８０のスライド操作に従って接点を開閉できるものであれば、任意の部品を採用できる。
【００６２】
前記スライドスイッチ２では、スライドレバー８０に形成した弾性ロック爪８２と、カバー７０に形成した第１，第２溝部７４，７５とを有するロック機構を備えているが、これに限られない。弾性テストボタン９０のスライドレバー８０に対する付勢力を確保しつつ、スライドレバー８０を動作位置および復帰位置で保持できる機構であれば、任意の機構を採用できる。
【００６３】
前記スライドスイッチ２に採用できる弾性テストボタンは、前述の弾性テストボタン９０に限られない。例えば、図１０に示すように、平板部９１の対向する角部から対向する辺に沿って延在している直線形状の弾性腕部１０２，１０２を有する弾性テストボタン１００を用いてもよい。また、図１１に示すように、側面Ｖ字形状の弾性腕部１１２を有する弾性テストボタン１１０を用いてもよい。さらに、図１２に示すように、平板部９１の対向する辺に形成され、側面略三角形状の弾性腕部１２２，１２２を有する弾性テストボタン１２０を用いてもよい。
【００６４】
また、弾性テストボタン９０の動作方向は、ケース４０の上面に対して直交する方向に限らない。弾性テストボタンの動作によって接点機構の接点を開閉できるならば、ケースの一面に対して交差する任意の動作方向を採用できる。
【００６５】
カバー７０の操作孔７１の縁部には、一組の誤操作防止壁７２が、スライドレバー８０のスライド操作方向Ｄに沿って突設されているが、これに限らない。誤操作防止壁は、操作孔の少なくとも片側縁部に突設されていればよい。
【産業上の利用可能性】
【００６６】
本発明に係るスライドスイッチ２を備える電磁継電器１は、前記実施形態に限らず、カバーに形成された操作孔を塞ぐように配置されたスライドレバーと、このスライドレバーをカバーの天井面に圧接するように付勢している弾性テストボタンとを有するスライドスイッチを備え、このスライドスイッチ内部への異物の侵入を防止できるものであれば、特に限定するものではない。
【符号の説明】
【００６７】
１  電磁継電器
２  スライドスイッチ
１０ベースプレート
１１  第１領域
１２  第２領域
１３，１６  絶縁壁
１４  ケース取付用突起
１５ａ，１５ｂ，１７ａ，１７ｂ，１７ｃ  端子孔
１６  カード取付孔
２０  コイルブロック
２１  コイル端子
２２  スプール
２２ａ  フランジ部
２３  コイル
２４  貫通孔
２５  鉄心
２５ａ  磁板部
２６  ヨーク
２６ａ  水平部
２６ｂ  垂直面部
２７  ヒンジバネ
３０  接点機構
３１  可動接点端子
３１ａ  可動接触片
３１ｂ  可動接点
３２  第１固定接点端子
３２ａ  第１固定接触片
３２ｂ  第１固定接点
３３  第２固定接点端子
３３ａ  第２固定接触片
３３ｂ  第２固定接点
３３ｃ  開口部
４０  ケース
４１  ケース取付孔
４２  爪部
４３  取付溝
４４  突部
４５  動作孔
４６  支持壁
５０  カード
５１  カード本体
５２  押込突出部
５３  押圧受け部
５４  弾性片
５５  カード取付用突起
６０  可動鉄片
６１  押圧部
６２  連結腕部
７０  カバー
７０ａ  内側面
７０ｂ  天井面
７１  操作孔
７２  誤操作防止壁
７３  取付爪
７４  第１溝部
７５  第２溝部
８０  スライドレバー
８１  本体部
８２  弾性ロック爪
８３  操作用突起
８４  スライド支持部
８５  押圧用突起
９０，１００，１１０，１２０  弾性テストボタン
９１  平板部
９２，１０２，１１２，１２２  弾性腕部
９３  突出部
９３ａ  弾性片
９３ｂ  爪部
９３ｃ  押出用凸部
【図１】
2015125985.tif 000003
【図２】
2015125985.tif 000004
【図３】
2015125985.tif 000005
【図４】
2015125985.tif 000006
【図５】
2015125985.tif 000007
【図６】
2015125985.tif 000008
【図７】
2015125985.tif 000009
【図８】
2015125985.tif 000010
【図９】
2015125985.tif 000011
【図１０】
2015125985.tif 000012
【図１１】
2015125985.tif 000013
【図１２】
2015125985.tif 000014